(57)【特許請求の範囲】
【請求項１】
炭化水素系の燃料を含む原料ガスを、水素を含む改質ガスに改質する改質触媒と、
複数の間隙を含む間隙材料から造られる複数の隔壁であって、原料ガス供給流路と濾過処理ガス流路とを設けるように構成される前記複数の隔壁を含むハニカムフィルタとを備え、
前記原料ガス供給流路は、前記複数の隔壁の一方の面に沿って前記原料ガスを流して、前記ハニカムフィルタに原料ガスを供給し、
前記濾過処理ガス流路は、前記複数の隔壁の他方の面に沿って、濾過されたガスを流し、
前記複数の隔壁は、炭化水素系燃料により前記原料ガスに生成される煤を捕集するための、有効径が１０−１００μｍの複数の間隙を含む間隙材料により構成され、
前記改質触媒は、前記複数の隔壁の前記濾過処理ガス流路側の他方の面に担持されており、
前記複数の隔壁の前記原料ガス供給流路側の一方の面は、不活性材料のみがコーティングされている燃料改質装置。
【請求項２】
前記原料ガス供給流路は、前記複数の隔壁の一方の面に沿って略平行に前記原料ガスを流し、
前記濾過処理ガス流路は、前記複数の隔壁の他方の面に沿って略平行に濾過されたガスを流す請求項１記載の燃料改質装置。
【請求項３】
前記複数の隔壁は、前記間隙材料により形成されたモノリス担体を用いて構成されている請求項２記載の燃料改質装置。
【請求項４】
前記複数の間隙を形成する間隙材料は、多孔質材料，網目状材料，発泡材料，不織布，焼結材料のいずれか１により形成されている請求項２記載の燃料改質装置。
【請求項５】
前記不活性材料は、アルミナである請求項１記載の燃料改質装置。
【請求項６】
前記改質触媒は、前記複数の隔壁に担持されているのに加えて、前記複数の間隙の全面にも担持されている請求項１記載の燃料改質装置。
【請求項７】
炭化水素系の燃料を気化し、水蒸気を含む空気と混合して原料ガスを生成する原料ガス生成部を備え、
原料ガス生成部は、空気量を原料ガスに関し所定量だけ増加させることを可能とする請求項１記載の燃料改質装置。
【請求項８】
炭化水素系の燃料を含む原料ガスを、改質触媒を用いて水素を含む改質ガスに改質する改質手段と、
複数の間隙を含む間隙材料から造られ、原料ガスに生成される煤を捕集する煤捕集手段とを備え、
前記煤捕集手段は、炭化水素系燃料によって前記原料ガスに生成される煤を捕集するための有効径が１０−１００μｍの複数の間隙を含み、
前記煤捕集手段の一方の面は、不活性材料のみによりコーティングされており、
前記改質手段は、前記煤捕集手段の他方の面に担持されており、
前記煤捕集手段は、前記間隙材料により構成するハニカムフィルタによって構成されている燃料改質装置。
【請求項９】
前記煤捕集手段により捕集された煤を除去するための煤除去手段を備える請求項８記載の燃料改質装置。
【請求項１０】
前記煤除去手段は、前記煤捕集手段により捕集された煤を酸素含有ガスと接触させる請求項９記載の燃料改質装置。
【請求項１１】
炭化水素系の燃料を含む原料ガスを、水素を含む改質ガスに改質する改質触媒と、
複数の間隙を含む間隙材料から造られる複数の隔壁であって、原料ガス供給流路と濾過処理ガス流路とを設けるように構成される前記複数の隔壁を含むフィルタとを備え、
前記原料ガス供給流路は、前記複数の隔壁の一方の面に沿って前記原料ガスを流して、前記フィルタに原料ガスを供給し、
前記濾過処理ガス流路は、前記複数の隔壁の他方の面に沿って、濾過されたガスを流し、
前記複数の隔壁は、炭化水素系燃料により前記原料ガスに生成される煤を捕集するための複数の間隙を含む間隙材料により構成され、
前記改質触媒は、前記複数の隔壁の前記濾過処理ガス流路側の他方の面に担持されており、
前記複数の隔壁の前記原料ガス供給流路側の一方の面は、不活性材料のみがコーティングされている燃料改質装置。
【発明の詳細な説明】
【０００１】
【発明の属する技術分野】
本発明は、燃料改質装置に関し、詳しくは、炭化水素系の燃料を含む原料ガスを水素を含む改質ガスに改質する燃料改質装置に関する。
【０００２】
【従来の技術】
従来、この種の燃料改質装置としては、炭化水素系の燃料の約半分を完全燃焼すると共に残りの半分を部分酸化反応させるものが提案されている（例えば、特開平７−２１５７０２号公報など）。この装置では、完全燃焼により生じる水蒸気と部分酸化反応により生じる一酸化炭素とをシフト反応により水素と二酸化炭素にシフトすることにより、水素収率の向上を図ると共に煤の生成を抑制している。
【０００３】
【発明が解決しようとする課題】
しかしながら、こうした燃料改質装置では、完全に煤の発生を抑制することは困難である。理論空燃比として炭化水素系の燃料を完全燃焼するものとしても、炭化水素系の燃料と空気とを完全な混合状態とすると共に混合状態の全ての部分で完全燃焼を生じさせることはできないことや炭化水素系の燃料の供給や空気の供給に伴う計器の誤差により完全な理論空燃比の状態を常に保持することは困難であることから、炭化水素系の燃料の炭素に起因して若干の煤が発生してしまう。上述の燃料改質装置では、完全燃焼させる炭化水素系の燃料に対して理論空燃比より若干多めの空気を供給することにより煤の発生を抑制するものとしているが、この場合でも、完全な混合状態を得ることと混合状態の全ての部位で完全燃焼を行なわせるのは容易でない。また、この装置では、理論空燃比より若干多めの空気を供給することにより後段の部分酸化反応に必要な空気の調節も困難なものとなってしまう。
【０００４】
本発明の燃料改質装置は、炭化水素系の燃料の炭素に起因して生じる煤を捕集することを目的の一つとする。また、本発明の燃料改質装置は、捕集した煤を除去することを目的の一つとする。さらに、本発明の燃料改質装置は、炭化水素系の燃料を含む原料ガスを効率よく水素リッチな燃料ガスに改質することを目的の一つとする。あるいは、本発明の燃料改質装置は、装置の小型化を図ることを目的の一つとする。
【０００５】
【課題を解決するための手段およびその作用・効果】
本発明の燃料改質装置は、上述の目的の少なくとも一部を達成するために以下の手段を採った。
【０００６】
本発明の第１の燃料改質装置は、炭化水素系の燃料を含む原料ガスを、水素を含む改質ガスに改質する改質触媒と、複数の間隙を含む間隙材料から造られる複数の隔壁であって、原料ガス供給流路と濾過処理ガス流路とを設けるように構成される前記複数の隔壁を含むハニカムフィルタとを備え、前記原料ガス供給流路は、前記複数の隔壁の一方の面に沿って前記原料ガスを流して、前記ハニカムフィルタに原料ガスを供給し、前記濾過処理ガス流路は、前記複数の隔壁の他方の面に沿って、濾過されたガスを流し、前記複数の隔壁は、炭化水素系燃料により前記原料ガスに生成される煤を捕集するための、有効径が１０−１００μｍの複数の間隙を含む間隙材料により構成され、前記改質触媒は、前記複数の隔壁の前記濾過処理ガス流路側の他方の面に担持されており、前記複数の隔壁の前記原料ガス供給流路側の一方の面は、不活性材料のみがコーティングされていることを要旨とする。
【０００７】
この本発明の第１の燃料改質装置では、原料ガスが改質ガスに改質される際に生じ得る煤や原料ガスが高温とされることに基づいて生じ得る煤は、隔壁を透過する際に捕集される。したがって、本発明の第１の燃料改質装置によれば、原料ガスが改質される際に生じ得る煤や原料ガスが高温とされることに基づいて生じ得る煤を捕集することができる。また、隔壁の原料ガス流路側における不測の反応を防止することができる。
【０００８】
本発明の第１の燃料改質装置において、前記複数の隔壁は、前記間隙材料により形成されたモノリス担体を用いて構成されたものとすることもできる。こうすれば、隔壁の濾過面積を大きく採ることができると共にハニカムフィルタのより一層の小型化を図ることができる。
【０００９】
【００１０】
【００１１】
【００１２】
【００１３】
【００１４】
【００１５】
本発明の第２の燃料改質装置は、炭化水素系の燃料を含む原料ガスを、改質触媒を用いて水素を含む改質ガスに改質する改質手段と、複数の間隙を含む間隙材料から造られ、原料ガスに生成される煤を捕集する煤捕集手段とを備え、前記煤捕集手段は、炭化水素系燃料によって前記原料ガスに生成される煤を捕集するための有効径が１０−１００μｍの複数の間隙を含み、前記煤捕集手段の一方の面は、不活性材料のみによりコーティングされており、前記改質手段は、前記煤捕集手段の他方の面に担持されており、前記煤捕集手段は、前記間隙材料により構成するハニカムフィルタによって構成されていることを要旨とする。
【００１６】
なお、炭化水素系の燃料を水素リッチな燃料ガスに改質する燃料改質装置であって、  前記炭化水素系の燃料を含む原料ガスを水素を含む改質ガスに改質する改質触媒を有する改質手段と、前記原料ガスに生じ得る煤を捕集する煤捕集手段とを備えることを要旨とする構成によれば、煤捕集手段により原料ガスに生じ得る煤を捕集するから、煤による後段の処理における不都合を回避することができる。ここで、「原料ガスに生じ得る煤」には、原料ガスが改質ガスに改質される際に生じ得る煤や原料ガスが高温にされることに基づいて生じ得る煤などが含まれる。
【００１７】
また、炭化水素系の燃料を水素リッチな燃料ガスに改質する燃料改質装置であって、  前記炭化水素系の燃料を含む原料ガスを水素を含む改質ガスに改質する改質触媒を有する改質手段と、前記原料ガスに生じ得る煤を捕集する煤捕集手段とを備えることを要旨とする構成において、前記煤捕集手段は、主として所定の有効径以下の複数の間隙を有する間隙材料により形成され、前記原料ガスを濾過する濾過部材であるものとすることもできる。ここで、所定の有効径としては、１０００μｍや５００μｍ，１００μｍ，７０μｍ，５０μｍ，３０μｍ，２０μｍ，１０μｍなど種々のものを選択可能である。原料ガスに含まれる炭化水素系の燃料の種類や運転条件などにより生じる煤の粒径に応じて所定の有効径を定めればよい。この態様の構成において、前記濾過部材は、少なくとも一方の面に前記改質触媒を担持し、前記改質手段の少なくとも一部として機能する部材であるものとすることもできる。こうすれば、原料ガスを濾過部材で濾過する際に煤を捕集することができると共に改質触媒による改質反応を行なわせることができるから、装置の小型化を図ることができる。
【００１８】
また、炭化水素系の燃料を水素リッチな燃料ガスに改質する燃料改質装置であって、  前記炭化水素系の燃料を含む原料ガスを水素を含む改質ガスに改質する改質触媒を有する改質手段と、前記原料ガスに生じ得る煤を捕集する煤捕集手段とを備えることを要旨とする構成において、前記煤捕集手段により捕集した煤を除去する煤除去手段を備えるものとすることもできる。こうすれば、捕集した煤を除去するから、煤捕集手段を連続して使用することができる。この態様の構成において、前記煤除去手段は、前記煤捕集手段により捕集された煤に酸素を含有する酸素含有ガスを供給する手段であるものとすることもできる。こうすれば、煤捕集手段により捕集された煤を酸素含有ガスを用いて燃料除去することができる。
本発明の第３の燃料改質装置は、炭化水素系の燃料を含む原料ガスを、水素を含む改質ガスに改質する改質触媒と、複数の間隙を含む間隙材料から造られる複数の隔壁であって、原料ガス供給流路と濾過処理ガス流路とを設けるように構成される前記複数の隔壁を含むフィルタとを備え、前記原料ガス供給流路は、前記複数の隔壁の一方の面に沿って前記原料ガスを流して、前記フィルタに原料ガスを供給し、前記濾過処理ガス流路は、前記複数の隔壁の他方の面に沿って、濾過されたガスを流し、前記複数の隔壁は、炭化水素系燃料により前記原料ガスに生成される煤を捕集するための複数の間隙を含む間隙材料により構成され、前記改質触媒は、前記複数の隔壁の前記濾過処理ガス流路側の他方の面に担持されており、前記複数の隔壁の前記原料ガス供給流路側の一方の面は、不活性材料のみがコーティングされている燃料改質装置である。
【００１９】
前記炭化水素系の燃料はガソリンであるものとすることもできる。
【００２０】
【発明の実施の形態】
次に、本発明の実施の形態を実施例を用いて説明する。図１は、本発明の一実施例である燃料改質装置２０の構成の概略を示す構成図である。実施例の燃料改質装置２０は、図示するように、燃料ポンプ２４による燃料タンク２２からの炭化水素系の燃料（例えば、ガソリンなど）とブロア２６による空気と水蒸気供給源５０からの水蒸気との供給を受け炭化水素系の燃料を気化すると共に空気や水蒸気と混合して原料ガスとする気化混合部２８と、原料ガスを水素と一酸化炭素とを含む改質ガスに改質する改質部３０と、水蒸気供給源５０から供給される水蒸気と改質ガスとの混合ガス中の水蒸気と一酸化炭素とを水素と二酸化炭素とにシフトするシフト部５２と、装置全体をコントロールする電子制御ユニット６０とを備える。本発明の中核は、改質部３０の構造と改質部３０に供給する原料ガスの調製にあるから、改質部３０の構成と原料ガスの調製を中心に説明し、それ以外の構成などについての詳細な説明は省略する。なお、実施例の燃料改質装置２０では、炭化水素系の燃料としてガソリンを用い、改質部３０は改質触媒が活性化する６００〜１０００℃程度で運転され、シフト部５２はシフト反応触媒が活性化する２００〜６００℃程度で運転される。
【００２１】
改質部３０は、有効径が１００μｍ以下の複数の間隙を有する多孔質材料（例えば金属酸化物などのセラミックや発泡金属材料，網目状材料など）により形成されたモノリス担体としてのハニカムチューブの半分のセルのガスの出口側（図１中右側）を栓４１により閉じて原料ガス供給流路４０を形成すると共に残りの半分のセルのガスの入口側（図１中左側）を栓４３により閉じて濾過処理ガス流路４２を形成したハニカムフィルタ３２を備える。原料ガス供給流路４０と濾過処理ガス流路４２とは隔壁３４を挟んで隣接するよう配置されており、原料ガス供給流路４０から供給された原料ガスが隔壁３４を透過して濾過処理ガス流路４２から排出されるようになっている。
【００２２】
図２は、ハニカムフィルタ３２の隔壁３４を拡大して模式的に示す拡大模式図である。図示するように、ハニカムフィルタ３２の隔壁３４の表面には、アルミナなどの不活性材料によるコーティング３６が施されており、濾過処理ガス流路４２側の表面と複数の間隙の濾過処理ガス流路４２側には、炭化水素系の燃料を水素と一酸化炭素とを含む改質ガスに改質する改質触媒（例えば、白金（Ｐｔ）やパラジウム（Ｐｄ），ロジウム（Ｒｈ），ニッケル（Ｎｉ）など）３８が担持されている。したがって、原料ガス供給流路４０から供給される原料ガスは、隔壁３４を濾材として透過する際に隔壁３４の間隙に担持された改質触媒３８や濾過処理ガス流路４２側に担持された改質触媒３８上で改質反応を生じる。図１に示すように原料ガス供給流路４０と濾過処理ガス流路４２は隔壁３４を挟んで隔壁３４に沿って平行に形成されているから、隔壁３４を透過したガス中に未反応の炭化水素系の燃料が存在する場合となっても、濾過処理ガス流路４２を流れている最中に隔壁３４の濾過処理ガス流路４２側に担持された改質触媒３８との接触により未反応の炭化水素系の燃料は改質反応を生じて水素と一酸化炭素とを含む改質ガスとなる。
【００２３】
隔壁３４の複数の間隙は、実施例では有効径を１００μｍ以下としたが、これは炭化水素系の燃料としてのガソリンに空気を混合し６００〜１０００℃の温度としたときにガソリンを構成する炭素に起因して生じる粒径が数十μｍ程度の煤１２を隔壁３４で捕捉するためである。隔壁３４の間隙の有効径は、用いる炭化水素系の燃料や気化混合部２８による混合状態，改質部３０の運転条件などにより生じる煤の粒径に応じて定めればよく、例えば１０００μｍや５００μｍ，１００μｍ，７０μｍ，５０μｍ，３０μｍ，２０μｍ，１０μｍなど種々の有効径とすることができる。
【００２４】
電子制御ユニット６０は、ＣＰＵ６２を中心とするマイクロプロセッサとして構成されており、処理プログラムを記憶したＲＯＭ６４と、一時的にデータを記憶するＲＡＭ６６と、入出力ポート（図示せず）とを備える。この電子制御ユニット６０には、気化混合部２８や改質部３０，シフト部５２の運転状態を表わす温度や流量などの信号が入力ポートを介して入力されている。また、電子制御ユニット６０からは、燃料ポンプ２４への駆動信号やブロア２６への駆動信号，気化混合部２８や改質部３０やシフト部５２への制御信号，水蒸気供給源５０への駆動信号などが出力ポートを介して出力されている。
【００２５】
次に、こうして構成された実施例の燃料改質装置２０の動作、特に改質部３０における煤１２の捕集や改質反応の様子，捕集した煤１２の除去の様子について説明する。改質部３０における煤１２の捕集や改質反応の様子については、改質部３０の構成を説明する際に説明した。即ち、原料ガスをハニカムフィルタ３２で濾過する際に、ハニカムフィルタ３２の隔壁３４に形成された複数の間隙の表面または間隙の内部で原料ガス中に含まれる煤１２を捕捉すると共に隔壁３４に形成された複数の間隙の表面や濾過処理ガス流路４２側の表面に担持された改質触媒３８上で原料ガス中に含まれる炭化水素系の燃料を水素と一酸化炭素とを含む改質ガスに改質する。なお、隔壁３４を透過したガス中に未反応の炭化水素系の燃料が存在する場合となっても、未反応の炭化水素系の燃料は、濾過処理ガス流路４２を流れている最中に隔壁３４の濾過処理ガス流路４２側に担持された改質触媒３８と接触して改質反応を生じ、水素と一酸化炭素とを含む改質ガスに改質される。
【００２６】
ハニカムフィルタ３２の隔壁３４で捕集した煤１２の除去は、図３に例示する煤除去ルーチンを実行することにより行なわれる。このルーチンは、所定時間毎（例えば、２時間毎）に繰り返し実行される。煤除去ルーチンが実行されると、電子制御ユニット６０のＣＰＵ６２は、ブロア２６から気化混合部２８に導入される空気量を所定量だけ増加するようブロア２６に駆動信号を出力する（ステップＳ１００）。そして所定時間経過するのを待って（ステップＳ１０２）、増加した導入空気量を元の空気量に戻す処理を行なって（ステップＳ１０４）、本ルーチンを終了する。導入空気量を増加すると、空気の割合が増加した原料ガスがハニカムフィルタ３２に供給される。ハニカムフィルタ３２の隔壁３４の表面または間隙に捕捉されている煤１２はカーボン粒子であるから、空気中の酸素により燃焼されて二酸化炭素となり、濾過処理ガス流路４２側に透過して除去される。したがって、ステップＳ１０２の所定時間は、煤除去ルーチンを繰り返し実行する間に隔壁３４で捕捉される煤１２の全て或いはその大半を燃焼除去できる空気量を供給すると共に燃焼に必要な時間を考慮して設定される。
【００２７】
以上説明した実施例の燃料改質装置２０によれば、有効径が１００μｍ以下の複数の間隙を有し改質触媒３８を担持するハニカムフィルタ３２で原料ガスを濾過することにより、原料ガスに含まれる煤１２を捕捉すると共に原料ガスを効率よく水素と一酸化炭素とを含む改質ガスに改質することができる。しかも、原料ガス供給流路４０と濾過処理ガス流路４２を隔壁３４を挟んで隔壁３４に沿って平行に形成したから、濾過後のガス中に未反応の炭化水素系の燃料が存在する場合となっても、隔壁３４の濾過処理ガス流路４２側に担持された改質触媒３８との接触により改質反応を生じさせることができる。また、濾過面積の大きなハニカムフィルタ３２を用いるから、改質部３０の小型化、即ち装置の小型化を図ることができる。
【００２８】
また、実施例の燃料改質装置２０によれば、所定時間毎に煤除去ルーチンを実行することにより、ハニカムフィルタ３２の隔壁３４で捕捉した煤１２を燃焼除去することができる。煤１２の除去を原料ガスにおける空気の割合を増加することにより行なうから、煤１２の除去のために装置の運転を停止する必要がない。
【００２９】
実施例の燃料改質装置２０では、ハニカムフィルタ３２の隔壁３４に形成された間隙の濾過処理ガス流路４２側の表面と隔壁３４の濾過処理ガス流路４２側の表面とに改質触媒３８を担持させたが、間隙の全面にも改質触媒３８を担持させるものとしてもよい。
【００３０】
実施例の燃料改質装置２０では、ハニカムフィルタ３２の隔壁３４の原料ガス供給流路４０側の表面にアルミナなどの不活性材料によるコーティング３６を施したが、参考例として、コーティング３６を施さないものとしてもよい。また、図４の参考例のハニカムフィルタ３２Ｂの隔壁３４Ｂに示すように、ハニカムフィルタ３２Ｂの隔壁３４Ｂの原料ガス供給流路４０側の表面に部分酸化反応に高活性な部分酸化触媒（例えば、白金（Ｐｔ）やパラジウム（Ｐｄ）など）４６を担持すると共に隔壁３４Ｂの濾過処理ガス流路４２側に炭化水素系の燃料の水蒸気改質反応に高活性な改質触媒（例えば、ロジウム（Ｒｈ）やニッケル（Ｎｉ）など）４８を担持するものとしてもよい。この参考例のハニカムフィルタ３２Ｂでは、部分酸化触媒４６上で生じた部分酸化による反応熱は、隔壁３４Ｂ中の伝播とガスの顕熱によって直接隣接した改質触媒４８に供給され、改質触媒４８上で生じる水蒸気改質反応に用いられる。即ち、部分酸化による反応熱を、反応器外部への放熱などにより損なわれることなく、改質触媒４８上で生じる水蒸気改質反応に用いることができる。
【００３１】
実施例の燃料改質装置２０では、ハニカムフィルタ３２で煤１２を捕捉すると共に改質反応を生じさせるものとしたが、ハニカムフィルタ３２では改質反応だけを生じさせるものとしてもよい。この場合、ハニカムフィルタ３２の上流側に煤１２を捕捉する煤除去フィルタを備えるものとしてもよいし、煤除去フィルタを備えないものとしてもよい。いずれの場合でも隔壁３４の間隙の有効径の自由度は大きくなる。
【００３２】
実施例の燃料改質装置２０では、ハニカムフィルタ３２を用いたが、濾過可能な部材であれば如何なる部材でもよい。例えば、薄板状の原料ガス供給流路と薄板状の濾過処理ガス流路とにより多孔質材料により形成された隔壁を挟むように複数積層してなる構造としてもよい。
【００３３】
実施例の燃料改質装置２０では、所定時間毎（例えば、２時間毎）に煤除去ルーチンを実行して隔壁３４で捕捉された煤１２を燃焼除去するものとしたが、燃料改質装置２０の始動に暖機終了後所定時間経過したときに煤除去ルーチンを実行するものとしてもよい。また、実施例の燃料改質装置２０では、電子制御ユニット６０により処理プログラムとしての煤除去ルーチンを実行し、ブロア２６による導入空気量を増加して隔壁３４で捕捉された煤１２を除去したが、タイマを用いて所定時間経過したときに所定量だけ空気を改質部３０に供給するよう機械的に煤１２を除去するものとしてもよい。
【００３４】
実施例の燃料改質装置２０では、炭化水素系の燃料としてガソリンを用いて説明したが、ガソリン以外の炭化水素系の燃料、例えばメタンやエタンなどの飽和炭化水素やエチレンやプロピレンなどの不飽和炭化水素，メタノールやエタノールなどのアルコール類などガス状および液状の種々の炭化水素系の燃料を用いる燃料改質装置に適用することができる。この場合、原料ガスに煤が含まれるものは勿論、原料ガスに煤が含まれないものにも適用することができる。また、実施例の燃料改質装置２０では、炭化水素系の燃料としてガソリンを用い、改質反応の後にシフト反応を行なうものとしたが、ガス状の炭化水素系の燃料を用いる場合には、気化混合部２８では気化は必要ないし、改質反応とシフト反応とを同時に行なうタイプの燃料改質装置ではシフト部５２を設ける必要がない。
【００３５】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】  本発明の一実施例である燃料改質装置２０の構成の概略を示す構成図である。
【図２】  ハニカムフィルタ３２の隔壁３４を拡大して模式的に示す拡大模式図である。
【図３】  実施例の燃料改質装置２０の電子制御ユニット６０により実行される煤除去ルーチンの一例を示すフローチャートである。
【図４】  参考例のハニカムフィルタ３２Ｂの隔壁３４Ｂを拡大して模式的に示す拡大模式図である。
【符号の説明】
１２  煤、２０  燃料改質装置、２２  燃料タンク、２４  燃料ポンプ、２６  ブロア、２８  気化混合部、３０  改質部、３２，３２Ｂ  ハニカムフィルタ、３４，３４Ｂ  隔壁、３６  コーティング、３８  改質触媒、４０  原料ガス供給流路、４１  栓、４２  濾過処理ガス流路、４３  栓、４６  部分酸化触媒、４８  改質触媒、５０  水蒸気供給源、５２  シフト部、６０  電子制御ユニット、６２  ＣＰＵ、６４  ＲＯＭ、６６  ＲＡＭ。
【図１】
0004742405.tif 000002
【図２】
0004742405.tif 000003
【図３】
0004742405.tif 000004
【図４】
0004742405.tif 000005